(57)【要約】【課題】  二次転写手段により小サイズの転写材を通紙するとき、転写位置の非通紙部側へ転写電流が流れ込み、転写不良の発生を防止する事により、良質な画像を得る。【解決手段】  トナー像担持体と転写ローラとが対向する転写位置に転写材を挿通させて、トナー像担持体上のトナー像を転写材に圧力転写させる転写手段を有する画像形成装置において、転写手段は、転写位置における転写材が通過する部分の軸方向の電気抵抗値によりも、転写材が通過しない部分の軸方向の電気抵抗値が高く設定する。【選択図】        図４
2006317587.tif 000002
【特許請求の範囲】
【請求項１】
トナー像を形成する画像形成部と、トナー像を担持するトナー像担持体と、前記画像形成部で形成されたトナー像を転写材に圧接して転写する転写ローラと、を備え、前記トナー像担持体と前記転写ローラとが対向する転写位置に前記転写材を挿通させて、前記トナー像担持体上のトナー像を前記転写材に圧力転写させる転写手段を有する画像形成装置において、
前記転写手段は、前記転写位置における前記転写材が通過する部分の軸方向の電気抵抗値よりも、前記転写材が通過しない部分の軸方向の電気抵抗値が高く設定されていることを特徴とする画像形成装置。
【請求項２】
前記転写位置における前記転写材が通過する部分の軸方向の電気抵抗値と、前記転写材が通過しない部分の軸方向の電気抵抗値との差は、前記転写材が通過しない部分に空隙層を形成することにより発生させることを特徴とする請求項１に記載の画像形成装置。
【請求項３】
前記転写材が通過しない部分に発生させる空隙層は、前記転写位置において前記転写材が通過しない部分を加圧する第１の加圧手段による荷重を、前記転写位置において前記転写材が通過する部分を加圧する第２の加圧手段による荷重に比して、弱く設定することにより発生させることを特徴とする請求項２に記載の画像形成装置。
【請求項４】
前記第１の加圧手段による荷重と前記第２の加圧手段による荷重との荷重差は、前記転写ローラの前記トナー像担持体とは反対側に対して前記転写ローラよりも軸方向の長さが短い加圧ローラを備えることにより、前記転写ローラと前記加圧ローラの少なくとも一方に荷重をかけることによって発生させることを特徴とする請求項３に記載の画像形成装置。
【請求項５】
前記第１の加圧手段による荷重と前記第２の加圧手段による荷重との荷重差は、前記トナー像担持体の前記転写ローラとは反対側に対して前記転写ローラよりも軸方向の長さが短い加圧ローラを備えることにより、前記トナー像担持体と前記加圧ローラの少なくとも一方に荷重をかけることによって発生させることを特徴とする請求項３または４に記載の画像形成装置。
【請求項６】
前記加圧ローラは、前記転写ローラの軸方向の中央に配置されることを特徴とする請求項４又は５に記載の画像形成装置。
【請求項７】
トナー像を形成する画像形成部と、トナー像を担持する中間転写体と、前記画像形成部で形成されたトナー像を前記中間転写体に転写する一次転写手段により転写されたトナー像を転写材に圧接して転写する二次転写手段と、から成る画像形成装置において、
前記二次転写手段は、前記中間転写体を支持するバックアップローラと、
前記中間転写体を介して前記バックアップローラを押圧する二次転写ローラと、
前記二次転写ローラを押圧して前記バックアップローラと前記二次転写ローラとが対向する二次転写位置の前記中間転写体を押圧する加圧ローラとを有し、
前記加圧ローラにより、前記二次転写位置における前記転写材が通過する部分の軸方向の電気抵抗値よりも、前記転写材が通過しない部分の軸方向の電気抵抗値が高く設定されていることを特徴とする画像形成装置。
【請求項８】
トナー像を形成する画像形成部と、トナー像を担持するトナー像担持体と、前記画像形成部で形成されたトナー像を前記トナー像担持体に転写する一次転写手段により転写されたトナー像を転写材に圧接して転写する二次転写手段と、から成る画像形成装置において、
前記二次転写手段は、前記トナー像担持体を支持するバックアップローラと、
前記トナー像担持体を介して前記バックアップローラを押圧する二次転写ローラと、
前記バックアップローラを押圧して前記バックアップローラと前記二次転写ローラとが対向する二次転写位置の前記トナー像担持体を押圧する加圧ローラとを有し、
前記加圧ローラにより、前記二次転写位置における前記転写材が通過する部分の軸方向の電気抵抗値に対して、前記転写材が通過しない部分の軸方向の電気抵抗値が高く設定されていることを特徴とする画像形成装置。
【請求項９】
トナー像を形成する画像形成部と、トナー像を担持するトナー像担持体と、前記画像形成部で形成されたトナー像を前記トナー像担持体に転写する一次転写手段により転写されたトナー像を転写材に圧接して転写する二次転写手段と、から成る画像形成装置において、
前記二次転写手段は、前記トナー像担持体を支持するバックアップローラと、
前記トナー像担持体を介して前記バックアップローラを押圧する二次転写ローラと、
前記二次転写ローラを押圧して前記バックアップローラと前記二次転写ローラとが対向する二次転写位置の前記トナー像担持体を押圧する第１の加圧ローラと、前記バックアップローラを押圧して前記バックアップローラと前記二次転写ローラとが対向する二次転写位置の前記トナー像担持体を押圧する第２の加圧ローラとを有し、
前記第１の加圧ローラと前記第２の加圧ローラとにより、前記二次転写位置における前記転写材が通過する部分の軸方向の電気抵抗値に対して、前記転写材が通過しない部分の軸方向の電気抵抗値が高く設定されていることを特徴とする画像形成装置。
【請求項１０】
前記二次転写位置における前記転写材が通過する部分の軸方向の電気抵抗値と、前記転写材が通過しない部分の軸方向の電気抵抗値との差は、前記転写材が通過しない部分に空隙層を形成することにより発生させることを特徴とする請求項７乃至９の何れか１項に記載の画像形成装置。
【請求項１１】
前記二次転写ローラまたは前記バックアップローラに対する第１の加圧荷重と、前記加圧ローラに対する第２の加圧荷重とを設定し、
前記転写材が通過しない部分に発生させる空隙層は、前記転写材が前記二次転写位置において前記転写材が通過する部分を加圧する前記第２の加圧荷重に比して、前記転写材が通過しない部分を加圧する前記第１の加圧荷重を弱く設定することにより発生させることを特徴とする請求項７乃至１０の何れか１項に記載の画像形成装置。
【発明の詳細な説明】
【技術分野】
【０００１】
本発明は、複写機、プリンタ、ファクシミリ、及びこれらの機能を併せ持つ電子写真方式を用いた画像形成装置に関わり、特に、トナー像担持体等の表面に担持されたトナー像を転写ローラにより転写材に圧力転写する画像形成装置、及び中間転写体上に形成した複数のカラートナー像を重ね合わせて転写材に転写するカラー画像形成装置に関する。
【背景技術】
【０００２】
トナー像担持体等の表面に担持されたトナー像を加圧転写ローラにより転写材に圧力転写する画像形成装置としては、特許文献１、特許文献２等に記載のものが知られている。
【０００３】
特許文献１の画像形成装置は、誘電体ドラムに加圧転写ローラを圧接配置し、誘電体ドラム及び加圧転写ローラの両端部から荷重をかけて誘電体ドラムと加圧転写ローラ間に挿通させる転写材に所定の圧力を作用させることにより、転写材に誘電体ドラムに形成されたトナー像を圧力転写させるものである。
【０００４】
特許文献２の画像形成装置は、加圧転写ローラを逆クラウン形状に形成し、且つ、加圧転写ローラのトナー像担持体とは反対側に対して、加圧転写ローラよりも長さが短い加圧用バックアップローラを荷重をかけて圧接した状態に配置したものである。
【特許文献１】特表昭６０−５００８３１号公報
【特許文献２】特開平７−２２５５２３号公報
【発明の開示】
【発明が解決しようとする課題】
【０００５】
近年、複写機、プリンタ、ファクシミリ、これらの機能を合わせ持つ複合機等の画像形成装置においてカラー化が進み、また重合トナー、小粒径トナーの採用により、転写プロセスにおいても高画質化への要求が大きくなってきている。また、前記画像形成装置の高速化も進んでいる。これらのことに対し、良好な画像を得るためには、中間転写体に圧接する転写材全面に均一な圧力をかけて、転写材上のトナー像を良好に転写させることが必要がある。
【０００６】
特許文献１に記載の装置では、誘電体ドラムに形成されたトナー像を圧力転写させるとき、転写材に作用させる圧力は、トナーを潰して転写材に結着させる必要があるため、一般に数百ｋｇ／ｃｍ2という大きなものである。
【０００７】
特許文献２に記載の装置では、定電流制御によって圧接転写を行う場合、転写材が転写ローラの幅に対して小さい場合には、非通紙部に比べて通紙部の電気抵抗が大きくなるため、通紙部に流れるはずであった電流が非通紙部側に流れ込み、転写不良を発生するという問題がある。
【０００８】
本発明は、小サイズの転写材に転写する時に発生する非通紙部側への転写電流の流れ込みを防止し、転写不良を解消する事を目的とするものである。
【０００９】
また、カラー画像形成時の二次転写において、中間転写体上に形成された多色トナー像を転写材上に良好に転写させることができる画像形成装置を提供することを目的とする。
【課題を解決するための手段】
【００１０】
上記目的は、下記の構成により達成される。
【００１１】
請求項１に記載の画像形成装置は、トナー像を形成する画像形成部と、トナー像を担持するトナー像担持体と、前記画像形成部で形成されたトナー像を転写材に圧接して転写する転写ローラと、を備え、前記トナー像担持体と前記転写ローラとが対向する転写位置に前記転写材を挿通させて、前記トナー像担持体上のトナー像を前記転写材に圧力転写させる転写手段を有する画像形成装置において、前記転写手段は、前記転写位置における前記転写材が通過する部分の軸方向の電気抵抗値よりも、前記転写材が通過しない部分の軸方向の電気抵抗値が高く設定されていることを特徴とするものである。
【００１２】
請求項２に記載の画像形成装置は、請求項１において、前記転写位置における前記転写材が通過する部分の軸方向の電気抵抗値と、前記転写材が通過しない部分の軸方向の電気抵抗値との差は、前記転写材が通過しない部分に空隙層を形成することにより発生させることを特徴とするものである。
【００１３】
請求項３に記載の画像形成装置は、請求項２において、前記転写材が通過しない部分に発生させる空隙層は、前記転写位置において前記転写材が通過しない部分を加圧する第１の加圧手段による荷重を、前記転写位置において前記転写材が通過する部分を加圧する第２の加圧手段による荷重に比して、弱く設定することにより発生させることを特徴とするものである。
【００１４】
請求項４に記載の画像形成装置は、請求項３において、前記第１の加圧手段による荷重と前記第２の加圧手段による荷重との荷重差は、前記転写ローラの前記トナー像担持体とは反対側に対して前記転写ローラよりも軸方向の長さが短い加圧ローラを備えることにより、前記転写ローラと前記加圧ローラの少なくとも一方に荷重をかけることによって発生させることを特徴とするものである。
【００１５】
請求項５に記載の画像形成装置は、請求項３または４において、前記第１の加圧手段による荷重と前記第２の加圧手段による荷重との荷重差は、前記トナー像担持体の前記転写ローラとは反対側に対して前記転写ローラよりも軸方向の長さが短い加圧ローラを備えることにより、前記トナー像担持体と前記加圧ローラの少なくとも一方に荷重をかけることによって発生させることを特徴とするものである。
【００１６】
請求項６に記載の画像形成装置は、請求項４又は５において、前記加圧ローラは、前記転写ローラの軸方向の中央に配置されることを特徴とするものである。
【００１７】
請求項７に記載の画像形成装置は、トナー像を形成する画像形成部と、トナー像を担持する中間転写体と、前記画像形成部で形成されたトナー像を前記中間転写体に転写する一次転写手段により転写されたトナー像を転写材に圧接して転写する二次転写手段と、から成る画像形成装置において、前記二次転写手段は、前記中間転写体を支持するバックアップローラと、前記中間転写体を介して前記バックアップローラを押圧する二次転写ローラと、前記二次転写ローラを押圧して前記バックアップローラと前記二次転写ローラとが対向する二次転写位置の前記中間転写体を押圧する加圧ローラとを有し、前記加圧ローラにより、前記二次転写位置における前記転写材が通過する部分の軸方向の電気抵抗値に対して、前記転写材が通過しない部分の軸方向の電気抵抗値が高く設定されていることを特徴とするものである。
【００１８】
請求項８に記載の画像形成装置は、トナー像を形成する画像形成部と、トナー像を担持するトナー像担持体と、前記画像形成部で形成されたトナー像を前記トナー像担持体に転写する一次転写手段により転写されたトナー像を転写材に圧接して転写する二次転写手段と、から成る画像形成装置において、前記二次転写手段は、前記トナー像担持体を支持するバックアップローラと、前記トナー像担持体を介して前記バックアップローラを押圧する二次転写ローラと、前記バックアップローラを押圧して前記バックアップローラと前記二次転写ローラとが対向する二次転写位置の前記トナー像担持体を押圧する加圧ローラとを有し、前記加圧ローラにより、前記二次転写位置における前記転写材が通過する部分の軸方向の電気抵抗値に対して、前記転写材が通過しない部分の軸方向の電気抵抗値が高く設定されていることを特徴とするものである。
【００１９】
請求項９に記載の画像形成装置は、トナー像を形成する画像形成部と、トナー像を担持するトナー像担持体と、前記画像形成部で形成されたトナー像を前記トナー像担持体に転写する一次転写手段により転写されたトナー像を転写材に圧接して転写する二次転写手段と、から成る画像形成装置において、前記二次転写手段は、前記トナー像担持体を支持するバックアップローラと、前記トナー像担持体を介して前記バックアップローラを押圧する二次転写ローラと、前記二次転写ローラを押圧して前記バックアップローラと前記二次転写ローラとが対向する二次転写位置の前記トナー像担持体を押圧する第１の加圧ローラと、前記バックアップローラを押圧して前記バックアップローラと前記二次転写ローラとが対向する二次転写位置の前記トナー像担持体を押圧する第２の加圧ローラとを有し、前記第１の加圧ローラと前記第２の加圧ローラとにより、前記二次転写位置における前記転写材が通過する部分の軸方向の電気抵抗値に対して、前記転写材が通過しない部分の軸方向の電気抵抗値が高く設定されていることを特徴とするものである。
【００２０】
請求項１０に記載の画像形成装置は、請求項７乃至９の何れか１項において、前記二次転写位置における前記転写材が通過する部分の軸方向の電気抵抗値と、前記転写材が通過しない部分の軸方向の電気抵抗値との差は、前記転写材が通過しない部分に空隙層を形成することにより発生させることを特徴とするものである。
【００２１】
請求項１１に記載の画像形成装置は、請求項７乃至１０の何れか１項において、前記二次転写ローラまたは前記バックアップローラに対する第１の加圧荷重と、前記加圧ローラに対する第２の加圧荷重とを設定し、前記転写材が通過しない部分に発生させる空隙層は、前記転写材が前記二次転写位置において前記転写材が通過する部分を加圧する前記第２の加圧荷重に比して、前記転写材が通過しない部分を加圧する前記第１の加圧荷重を弱く設定することにより発生させることを特徴とするものである。
【発明の効果】
【００２２】
請求項１に記載の発明によれば、トナーと転写ローラとが対向する転写手段の転写位置において、転写材が通過する部分の軸方向の電気抵抗値よりも、転写材が通過しない部分の軸方向の電気抵抗値が高く設定されていることによって、小サイズの転写材を転写するときに発生する非通紙部側への転写電流の流れ込みを防止し、良質な画像が得られる。
【００２３】
請求項２に記載の発明によれば、転写位置における転写材が通過する部分の軸方向の電気抵抗値と、転写材が通過しない部分の軸方向の電気抵抗値との差は、転写材が通過しない部分に電気絶縁性の空隙層を形成することにより発生されるから、空隙層の形成により、小サイズの転写材を転写するときに発生する非通紙部側の空隙層への転写電流の流れ込みが防止され、良質な画像が得られる。
【００２４】
請求項３に記載の発明によれば、転写材が通過しない部分に発生させる空隙層は、転写材が転写位置において前記転写材が通過する部分を加圧する第１の加圧手段の荷重に比して、転写材が通過しない部分を加圧する第２の加圧手段の荷重を弱くすることにより発生されるから、空隙層の形成により、転写材が通過しない部分に電気絶縁性の空隙層を形成して、小サイズの転写材を転写するときに発生する非通紙部側への転写電流の流れ込みが防止され、良質な画像が得られる。
【００２５】
請求項４に記載の発明によれば、第１の加圧手段による荷重と第２の加圧手段による荷重との荷重差は、転写ローラのトナー像担持体とは反対側に対して転写ローラよりも軸方向の長さが短い加圧ローラを備え、転写ローラと加圧ローラの少なくとも一方に荷重をかけることによって発生されるから、空隙層の形成により、転写材が通過しない部分に電気絶縁性の空隙層を形成して、小サイズの転写材を転写するときに発生する非通紙部側への転写電流の流れ込みが防止され、良質な画像が得られる。
【００２６】
請求項５に記載の発明によれば、第１の加圧手段による荷重と第２の加圧手段による荷重との荷重差は、トナー像担持体の転写ローラとは反対側に対して転写ローラよりも軸方向の長さが短い加圧ローラを備え、トナー像担持体と加圧ローラの少なくとも一方に荷重をかけて発生されるから、空隙層の形成により転写材が通過しない部分に電気絶縁性の空隙層を形成して、小サイズの転写材を転写するときに発生する非通紙部側への転写電流の流れ込みが防止され、良質な画像が得られる。
【００２７】
請求項６に記載の発明によれば、加圧ローラは、転写ローラの軸方向の中央に配置されることにより、転写材が加圧ローラと転写ローラとの転写位置の中央付近に搬送されるとき、加圧ローラは転写材を押圧して転写ローラにより転写電流を印加して転写し、転写材通過しない転写材幅方向の両端側の部分に電気絶縁性の空隙層を形成して、小サイズの転写材を転写するときに発生する非通紙部側への転写電流の流れ込みが防止され、良質な画像が得られる。
【００２８】
請求項７に記載の発明によれば、一次転写手段により転写されたトナー像を転写材に圧接して転写する二次転写手段は、中間転写体を支持するバックアップローラと、中間転写体を介してバックアップローラを押圧する二次転写ローラとから構成され、更に二次転写ローラを押圧してバックアップローラと二次転写ローラとが対向する二次転写位置の中間転写体を押圧する加圧ローラとを有し、加圧ローラにより、二次転写位置における転写材が通過する部分の軸方向の電気抵抗値に対して、転写材が通過しない部分の軸方向の電気抵抗値を高くすることにより、小サイズの転写材に多色のトナー像を転写するときに発生する非通紙部側への転写電流の流れ込みが防止され、良質なカラー画像が得られる。
【００２９】
請求項８に記載の発明によれば、一次転写手段により転写されたトナー像を転写材に圧接して転写する二次転写手段は、トナー像担持体を支持するバックアップローラと、トナー像担持体を介してバックアップローラを押圧する二次転写ローラとから構成され、更に、バックアップローラを押圧してバックアップローラと二次転写ローラとが対向する二次転写位置のトナー像担持体を押圧する加圧ローラとを有し、加圧ローラにより、二次転写位置における転写材が通過する部分の軸方向の電気抵抗値に対して、転写材が通過しない部分の軸方向の電気抵抗値を高くすることにより、小サイズの転写材に多色のトナー像を転写するときに発生する非通紙部側への転写電流の流れ込みが防止され、良質なカラー画像が得られる。
【００３０】
請求項９に記載の発明によれば、一次転写手段により転写されたトナー像を転写材に圧接して転写する二次転写手段は、トナー像担持体を支持するバックアップローラと、トナー像担持体を介してバックアップローラを押圧する二次転写ローラとから構成され、更に、二次転写ローラを押圧してバックアップローラと二次転写ローラとが対向する二次転写位置のトナー像担持体を押圧する第１の加圧ローラと、バックアップローラを押圧してバックアップローラと前記二次転写ローラとが対向する二次転写位置のトナー像担持体を押圧する第２の加圧ローラとを有し、第１の加圧ローラと第２の加圧ローラとにより、二次転写位置における転写材が通過する部分の軸方向の電気抵抗値に対して、転写材が通過しない部分の軸方向の電気抵抗値を高くすることにより、小サイズの転写材に多色のトナー像を転写するときに発生する非通紙部側への転写電流の流れ込みが防止され、良質なカラー画像が得られる。
【００３１】
請求項１０に記載の発明によれば、二次転写位置における転写材が通過する部分の軸方向の電気抵抗値と、転写材が通過しない部分の軸方向の電気抵抗値との差は、転写材が通過しない部分に空隙層を形成することにより発生させるから、空隙層の形成により、小サイズの転写材を転写するときに発生する非通紙部側への転写電流の流れ込みが防止され、良質なカラー画像が得られる。
【００３２】
請求項１１に記載の発明によれば、二次転写ローラまたはバックアップローラを加圧する第１の加圧荷重と、加圧ローラに対する第２の加圧荷重とを設定し、転写材が通過しない部分に発生させる空隙層は、転写材が二次転写位置において転写材が通過する部分を加圧する第２の加圧手段の荷重に比して、転写材が通過しない部分を加圧する第２の加圧手段の荷重を弱くすることにより発生させるから、空隙層の設定により転写材が通過しない部分に電気絶縁性の空隙層を形成して、小サイズの転写材を転写するときに発生する非通紙部側への転写電流の流れ込みが防止され、良質なカラー画像が得られる。
【発明を実施するための最良の形態】
【００３３】
以下に本発明を、実施の形態を用いて説明するが、本発明は以下に説明する実施の形態に限られるものではない。
【００３４】
［画像形成装置］
図１は本発明の一実施の形態に係る画像形成装置を示す断面図であり、図１（ａ）は、画像形成部１０の正面断面図、図１（ｂ）は、像担持体１と転写手段８の側断面図である。
【００３５】
像担持体（トナー像担持体）１の周囲には、画像形成プロセス順に、帯電手段２、露光手段３、現像手段４、転写手段８、クリーニング手段６が配設されている。
【００３６】
転写手段８は、転写ローラ８Ａ、加圧ローラ８Ｂ、直流電源８Ｅから構成されている。転写ローラ８Ａは、その背後側から加圧ローラ８Ｂにより押圧されて、像担持体１に加圧接触されている。
【００３７】
導電性の転写ローラ８Ａは、ローラ本体８Ａ１と、ローラ本体８Ａ１の表面に形成された弾性層８Ａ２とにより形成されている。ローラ本体８Ａ１の両端は、軸受８Ａ３により回転可能に支持されている。ローラ本体８Ａ１の両端部には、図示しない加圧手段により白抜き矢印方向に所定の荷重Ｆ１がかけられている。
【００３８】
導電性の加圧ローラ８Ｂは、ローラ本体８Ｂ１と、ローラ本体８Ｂ１の表面に形成された弾性層８Ｂ２とにより形成されている。ローラ本体８Ｂ１の両端は、軸受８Ｂ３により回転可能に支持されている。ローラ本体８Ｂ１の両端部には、図示しない加圧手段により白抜き矢印方向に所定の荷重がかけられている。弾性層８Ｂ２は、転写ローラ８Ａの弾性層８Ａ２の軸方向の長さより短く形成されている。
【００３９】
加圧ローラ８Ｂが転写ローラ８Ａの中央部付近に搬送される転写材Ｐを押圧する事により、転写材Ｐが通過しない部分に電気絶縁性の空隙層Ｇを形成して、小サイズの転写材Ｐを転写するときに発生する非通紙部側の空隙層Ｇへの転写電流の流れ込みを防止する。
【００４０】
転写ローラ８Ａ、加圧ローラ８Ｂ、直流電源８Ｅから成る転写手段は、転写位置における転写材Ｐが通過する部分の軸方向の電気抵抗値に対して、転写材Ｐが通過しない部分の軸方向の電気抵抗値を高くすることによって、小サイズの転写材Ｐを転写するときに発生する非通紙部側への転写電流の流れ込みが防止される。
【００４１】
また、転写位置における転写材Ｐが通過する部分の軸方向の電気抵抗値と、転写材Ｐが通過しない部分の軸方向の電気抵抗値との差は、転写材Ｐが通過しない部分に電気絶縁性の空隙層Ｇを形成することにより発生されるから、空隙層の形成により、小サイズの転写材Ｐを転写するときに発生する非通紙部側の空隙層Ｇへの転写電流の流れ込みが防止される。
【００４２】
更に、転写材Ｐが通過しない部分に発生させる空隙層Ｇは、転写材Ｐが転写位置において転写材Ｐが通過する部分を加圧する第１の加圧手段の荷重Ｆ１に比して、転写材Ｐが通過しない部分を加圧する第２の加圧手段の荷重Ｆ２を弱くすることにより発生されるから、空隙層の形成により、転写材Ｐが通過しない部分に電気絶縁性の空隙層Ｇを形成して、小サイズの転写材Ｐを転写するときに発生する非通紙部側の空隙層Ｇへの転写電流の流れ込みが防止され、良質な画像が得られる。
【００４３】
［カラー画像形成装置］
図２は本発明の実施の形態に係るカラー画像形成装置Ａの全体構成を示す断面図である。図３は該カラー画像形成装置Ａの要部を示す断面図である。
【００４４】
このカラー画像形成装置Ａは、タンデム型カラー画像形成装置と称せられるもので、複数組の画像形成部１０Ｙ，１０Ｍ，１０Ｃ，１０Ｋと、ベルト状の中間転写体（トナー像担持体）７、一次転写手段５Ｙ，５Ｍ，５Ｃ，５Ｋ、二次転写手段９から成る中間転写ユニットと、定着装置１１、及び給紙装置２０を有する。
【００４５】
カラー画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００４６】
イエロー（Ｙ）色の画像を形成する画像形成部１０Ｙは、像担持体（感光体）１Ｙの周囲に配置された帯電手段２Ｙ、露光手段３Ｙ、現像手段４Ｙ及びクリーニング手段６Ｙを有する。
【００４７】
マゼンタ（Ｍ）色の画像を形成する画像形成部１０Ｍは、像担持体（感光体）１Ｍ、帯電手段２Ｍ、露光手段３Ｍ、現像手段４Ｍ及びクリーニング手段６Ｍを有する。
【００４８】
シアン（Ｃ）色の画像を形成する画像形成部１０Ｃは、像担持体（感光体）１Ｃ、帯電手段２Ｃ、露光手段３Ｃ、現像手段４Ｃ及びクリーニング手段６Ｃを有する。
【００４９】
黒（Ｋ）色の画像を形成する画像形成部１０Ｋは、像担持体（感光体）１Ｋ、帯電手段２Ｋ、露光手段３Ｋ、現像手段４Ｋ及びクリーニング手段６Ｋを有する。
【００５０】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００５１】
像担持体１Ｙ，１Ｍ，１Ｃ，１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣが用いられる。
【００５２】
帯電手段２Ｙ，２Ｍ，２Ｃ，２Ｋとしては、スコロトロン、コロトロン等のコロナ放電手段が用いられるが、スコロトロン放電手段が好ましく用いられる。
【００５３】
露光手段３Ｙ，３Ｍ，３Ｃ，３Ｋとしては、レーザ、ＬＥＤアレイ等、画像データに従って発光する発光素子が用いられる。
【００５４】
ベルト状の中間転写体７は、半導電性であり、複数のローラ７１ａ，７１ｂ，７１ｃ，７１ｄ等により巻回され、循環移動可能に支持される。本実施の形態では、中間転写体７は、ローラ７１ｃとローラ７１ｄとの間が平面状に支持されている。すなわち、ローラ７１ｃとローラ７１ｄとが支持部材として機能するものである。
【００５５】
画像形成部１０Ｙ，１０Ｍ，１０Ｃ，１０Ｋより形成された各色の画像は、回動する中間転写体７上に一次転写手段５Ｙ，５Ｍ，５Ｃ，５Ｋにより逐次転写されて（一次転写）、合成されたカラー画像が形成される。
【００５６】
給紙装置２０の用紙収納部（給紙カセット）２１内に収容された転写材Ｐは、給紙手段（第１給紙部）２２により給紙され、給紙ローラ２３，２４，２５、レジストローラ（第２給紙部）２６等を経て、二次転写手段９に搬送され、転写材Ｐ上にカラー画像が転写される（二次転写）。
【００５７】
カラー画像が転写された転写材Ｐは、定着装置１１により熱と圧力とを加えられ、転写材Ｐ上のカラートナー像（或いはトナー像）が定着されて転写材Ｐ上に固定され、排紙ローラ２７から排出され、機外の排紙トレイ２８上に載置される。
【００５８】
一方、二次転写手段９により転写材Ｐにカラー画像を転写した後、転写材Ｐを曲率分離した中間転写体７は、クリーニング手段６Ａにより残留トナーが除去される。
【００５９】
［一次転写手段］
イエロー色の画像を転写する一次転写手段５Ｙは、一次転写ローラ５ＹＡと、一次転写ローラ５ＹＡに電圧を印加する直流電源５ＹＥとから構成されている。一次転写ローラ５ＹＡは、中間転写体７を介して像担持体１Ｙに対向し、中間転写体７の内面に摺接する。直流電源５ＹＥは接地されている。
【００６０】
マゼンタ色の画像を転写する一次転写手段５Ｍは、一次転写ローラ５ＭＡと、一次転写ローラ５ＭＡに電圧を印加する直流電源５ＭＥとから構成されている。一次転写ローラ５ＭＡは、中間転写体７を介して像担持体１Ｍに対向し、中間転写体７の内面に摺接する。直流電源５ＭＥは接地されている。
【００６１】
シアン色の画像を転写する一次転写手段５Ｃは、一次転写ローラ５ＣＡと、一次転写ローラ５ＣＡに電圧を印加する直流電源５ＣＥとから構成されている。一次転写ローラ５ＣＡは、中間転写体７を介して像担持体１Ｃに対向し、中間転写体７の内面に摺接する。直流電源５ＣＥは接地されている。
【００６２】
黒色画像を転写する一次転写手段５Ｋは、一次転写ローラ５ＫＡと、一次転写ローラ５ＫＡに電圧を印加する直流電源５ＫＥとから構成されている。一次転写ローラ５ＫＡは、中間転写体７を介して像担持体１Ｋに対向し、中間転写体７の内面に摺接する。直流電源５ＫＥは接地されている。
【００６３】
一次転写手段５Ｙ，５Ｍ，５Ｃ，５Ｋの各直流電源５ＹＥ，５ＭＥ，５ＣＥ，５ＫＥには、電流値４０μＡ、電圧値＋１．５ｋＶが印加される。
【００６４】
また、一次転写手段５Ｙ，５Ｍ，５Ｃ，５Ｋは、一次転写時以外の場合には、図示しない駆動手段により移動され、中間転写体７の内面から離間して退避する。
【００６５】
［二次転写手段］
図４（ａ）は二次転写手段９の第１の実施の形態を示す正面断面図、図４（ｂ）は二次転写手段９の側断面図である。
【００６６】
二次転写手段９は、バックアップローラ９Ａ、二次転写ローラ９Ｂ、加圧ローラ９Ｃ及び直流電源９Ｅから構成されている。導電性材料から成るバックアップローラ９Ａは、中間転写体７を介して二次転写ローラ９Ｂに対向し、中間転写体７の内面に摺接する。バックアップローラ９Ａは接地されている。二次転写ローラ９Ｂに直流電圧を印加する直流電源９Ｅは接地されている。
【００６７】
二次転写手段９の直流電源９Ｅには、電流値５０μＡ、電圧値＋３ｋＶが印加される。二次転写手段９のバックアップローラ９Ａは、一次転写ローラ５ＹＡ，５ＭＡ，５ＣＡ，５ＫＡとほぼ同じ構成をなし、中間転写体７の内面側に圧接する。
【００６８】
中間転写体７は、ポリアミドあるいはポリイミド等を材料とする単層又は多層ベルトで、体積抵抗率１０7〜１０12Ωｃｍのものが用いられている。
【００６９】
中間転写体７は、二次転写手段９により転写材Ｐに二次転写した後、クリーニング手段６Ａを通過してクリーニングされる。
【００７０】
二次転写ローラ９Ｂは、二次転写時以外の場合には、図示しない駆動手段により移動され、中間転写体７の表面から離間して退避する。
【００７１】
導電性のバックアップローラ９Ａは、ローラ本体９Ａ１と、ローラ本体９Ａ１の表面に形成された弾性層９Ａ２とにより形成されている。
【００７２】
導電性の二次転写ローラ９Ｂは、ローラ本体９Ｂ１と、ローラ本体９Ｂ１の表面に形成された弾性層９Ｂ２とにより形成されている。ローラ本体９Ｂ１の両端は、軸受９Ｂ３により回転可能に支持されている。ローラ本体９Ｂ１の両端部には、図示しない加圧手段により白抜き矢印方向に所定の荷重Ｆ１がかけられている。
【００７３】
導電性の加圧ローラ９Ｃは、ローラ本体９Ｃ１と、ローラ本体９Ｃ１の表面に形成された弾性層９Ｃ２とにより形成されている。ローラ本体９Ｃ１の両端は、軸受９Ｃ３により回転可能に支持されている。ローラ本体９Ｃ１の両端部には、図示しない加圧手段により白抜き矢印方向に所定の荷重Ｆ２がかけられている。弾性層９Ｃ２は、二次転写ローラ９Ｂの弾性層９Ｂ２の軸方向の長さより短く形成されている。
【００７４】
加圧ローラ９Ｃにより、転写材Ｐが通過しない部分に電気絶縁性の空隙層を形成して、小サイズの転写材Ｐを転写するときに発生する非通紙部側の空隙層Ｇへの転写電流の流れ込みを防止する。
【００７５】
二次転写ローラ９Ｂ、加圧ローラ９Ｃ、直流電源９Ｅから成る二次転写手段９は、転写位置における転写材Ｐが通過する部分の軸方向の電気抵抗値に対して、転写材Ｐが通過しない部分の軸方向の電気抵抗値が高くすることによって、小サイズの転写材Ｐを転写するときに発生する非通紙部側への転写電流の流れ込みを防止する。
【００７６】
また、転写位置における転写材Ｐが通過する部分の軸方向の電気抵抗値と、転写材Ｐが通過しない部分の軸方向の電気抵抗値との差は、転写材Ｐが通過しない部分に電気絶縁性の空隙層Ｇを形成することにより、小サイズの転写材Ｐを転写するときに発生する非通紙部側の空隙層Ｇへの転写電流の流れ込みを防止する。
【００７７】
更に、転写材Ｐが通過しない部分に発生させる空隙層Ｇは、転写材Ｐが転写位置において転写材Ｐが通過する部分を加圧する第１の加圧手段の荷重Ｆ１に比して、転写材Ｐが通過しない部分を加圧する第２の加圧手段の荷重Ｆ２を弱くすることにより、転写材Ｐが通過しない部分に電気絶縁性の空隙層Ｇを形成して、小サイズの転写材Ｐを転写するときに発生する非通紙部側の空隙層Ｇへの転写電流の流れ込みを防止し、良質な画像が得られる。
【００７８】
図５（ａ）は二次転写手段９の第２の実施の形態を示す正面断面図、図５（ｂ）は二次転写手段９の側断面図である。なお、図面に使用されている符号について、図４と同じ機能を有する部分には、同符号を付している。また、第１の実施の形態と異なる点を説明する。
【００７９】
第２の実施の形態では、閉ループを形成する中間転写体７の内方に配置した加圧ローラ９Ｄは、バックアップローラ９Ａを所定の荷重Ｆ２により押圧する。バックアップローラ９Ａは所定の荷重Ｆ１により中間転写体７を介して二次転写ローラ９Ｂを押圧する。
【００８０】
加圧ローラ９Ｄは、ローラ本体９Ｄ１と、ローラ本体９Ｄ１の表面に形成された弾性層９Ｄ２とにより形成されている。ローラ本体９Ｄ１の両端は、軸受９Ｄ３により回転可能に支持されている。ローラ本体９Ｄ１の両端部には、図示しない加圧手段により白抜き矢印方向に所定の荷重Ｆ２がかけられている。弾性層９Ｄ２は、バックアップローラ９Ａの弾性層９Ａ２の軸方向の長さより短く形成されている。
【００８１】
加圧ローラ９Ｄの加圧により、二次転写位置における転写材Ｐが通過する部分の軸方向の電気抵抗値に対して、転写材Ｐが通過しない部分の軸方向の電気抵抗値が高くなる。
【００８２】
また、転写材Ｐが通過しない部分に発生させる空隙層Ｇは、転写材Ｐが二次転写位置において転写材Ｐが通過する部分を加圧する加圧手段の荷重Ｆ２に比して、転写材Ｐが通過しない部分を加圧する加圧手段の荷重Ｆ１を弱くすることにより発生させる。
【００８３】
このように構成された第２の実施の形態の二次転写手段９によって、第１の実施の形態と同様に、小サイズの転写材Ｐを転写するときに発生する非通紙部側への転写電流の流れ込みを防止する事ができる。
【００８４】
図６（ａ）は二次転写手段９の第３の実施の形態を示す正面断面図、図６（ｂ）は二次転写手段９の側断面図である。なお、図面に使用されている符号について、図４、図５と同じ機能を有する部分には、同符号を付している。また、第１の実施の形態と異なる点を説明する。
【００８５】
第３の実施の形態では、閉ループを形成する中間転写体７の外方に配置した二次転写ローラ９Ｂを押圧する加圧ローラ９Ｃと、中間転写体７の内方に配置したバックアップローラ９Ａを押圧する加圧ローラ９Ｄとを有する。
【００８６】
加圧ローラ９Ｄは、ローラ本体９Ｄ１と、ローラ本体９Ｄ１の表面に形成された弾性層９Ｄ２とにより形成されている。ローラ本体９Ｄ１の両端は、軸受９Ｄ３により回転可能に支持されている。ローラ本体９Ｄ１の両端部には、図示しない加圧手段により白抜き矢印方向に所定の荷重Ｆ２がかけられている。弾性層９Ｄ２は、バックアップローラ９Ａの弾性層９Ａ２の軸方向の長さより短く形成されている。
【００８７】
バックアップローラ９Ａは所定の荷重Ｆ１により中間転写体７を介して二次転写ローラ９Ｂを押圧する。
【００８８】
加圧ローラ９Ｃ、９Ｄにより、二次転写位置における転写材Ｐが通過する部分の軸方向の電気抵抗値に対して、記転写材Ｐが通過しない部分の軸方向の電気抵抗値が高くなる。
【００８９】
また、転写材Ｐが通過しない部分に発生させる空隙層Ｇは、転写材Ｐが二次転写位置において転写材Ｐが通過する部分を加圧する加圧手段の荷重Ｆ２に比して、転写材Ｐが通過しない部分を加圧する加圧手段の荷重Ｆ１を弱くすることにより発生させる。
【００９０】
このように構成された第３の実施の形態の二次転写手段９によって、第１の実施の形態と同様に、小サイズの転写材Ｐを転写するときに発生する非通紙部側への転写電流の流れ込みを防止する事ができる。
【実施例】
【００９１】
以下、実施例をあげて本発明を具体的に説明するが、本発明はこれに限定されるものではない。本実施例では、図２及び図３に示した一次転写手段５Ｙ，５Ｍ，５Ｃ，５Ｋ、及び二次転写手段９を配設したカラー画像形成装置Ａで画像を形成した。
【００９２】
［画像形成条件］
画像形成装置：タンデム型フルカラー複写機（コニカミノルタ８０５０（登録商標）改造機、図２参照）、連続複写速度：フルカラーモード、Ａ４判用紙で毎分５１枚出力
像担持体１Ｙ，１Ｍ，１Ｃ，１Ｋ：外径φ６０ｍｍ
転写材Ｐの搬送線速度：２２０ｍｍ／ｓｅｃ
現像剤：キャリアの平均粒径２０〜６０μｍ、重合トナーの平均粒径３〜７μｍ
帯電手段２Ｙ，２Ｍ，２Ｃ，２Ｋ：帯電電圧Ｖ０は−７００Ｖ（可変：左記は標準値）
露光手段３Ｙ，３Ｍ，３Ｃ，３Ｋ：半導体レーザ（波長７８０ｎｍ）、露光時の像形成体表面電位Ｖｉは−５０Ｖ
現像手段４Ｙ，４Ｍ，４Ｃ，４Ｋ：現像スリーブの電位Ｖｄｃは−５００Ｖ（可変：左記は標準値）、現像バイアス電圧交流成分Ｖａｃは１ｋＶｐ−ｐの矩形波（周波数５ｋＨｚ）
一次転写ローラ５ＹＡ，５ＭＡ，５ＣＡ，５ＫＡ：導電性ローラ使用、ローラ押圧５０Ｎ（ニュートン）、転写電流４０μＡ、転写電圧＋１．５ｋＶを印加
［実施例１］
本実施例では、図２及び図３に示した二次転写手段９を配設したカラー画像形成装置Ａで画像を形成した。
【００９３】
二次転写手段９：中間転写体７をバックアップローラ９Ａと二次転写ローラ９Ｂで挟み込み、加圧ローラ９Ｃが二次転写ローラ９Ｂを押圧する構成（図４）で、バックアップローラ９Ａと二次転写ローラ９Ｂの電気抵抗値はともに１×１０7Ωである。温湿度とカウンターでマトリックスを組んだ電流値テーブルから所定の電流値を選択して印加する。
【００９４】
二次転写ローラ９Ｂ、バックアップローラ９Ａ：材質：ニトリル・ブタジエン・ゴム（半導電性ＮＢＲソリッドゴム）、形状：ローラ（外径φ３０ｍｍ、芯金径φ１５ｍｍ、軸方向長さ３３０ｍｍ）、体積抵抗率：４×１０7Ω・ｃｍ、押圧力：５０Ｎ（ニュートン）、副走査方向ニップ幅：３ｍｍ
中間転写体７：ポリイミド樹脂、シームレス半導電性ベルト（体積抵抗率１０9Ωｃｍ）、張架テンション５０Ｎ、線速２２０ｍｍ／秒、
加圧ローラ９Ｃ，９Ｄ：外径φ２０ｍｍ、芯金径１６ｍｍ、軸方向長さ５０ｍｍ、絶縁性ゴム
以上の条件により二次転写手段９における二次転写ローラ９Ｂとバックアップローラ９Ａに対向する加圧ローラ９Ｃの電気抵抗特性及び荷重特性について検討した結果を、図７及び表１に示す。
【００９５】
【表１】
2006317587.tif 000003
【００９６】
図７（ａ）及び表１（ａ）は、二次転写ローラ９Ｂ、バックアップローラ９Ａ、加圧ローラ９Ｃの電気抵抗特性を示す電流値テーブルである。
【００９７】
図７（ｂ）及び表１（ｂ）は、二次転写ローラ９Ｂ、バックアップローラ９Ａの荷重Ｆ１と、加圧ローラ９Ｃの荷重Ｆ２を示す荷重テーブルである。
【００９８】
ここで、二次転写ローラ９Ｂ、バックアップローラ９Ａの軸方向長さは３３０ｍｍ、加圧ローラ９Ｃ，９Ｄの軸方向長さは５０ｍｍに設定した。加圧ローラ９Ｃ，９Ｄは二次転写ローラ９Ｂ、バックアップローラ９Ａの軸方向の中央部付近を加圧する。また、転写材Ｐの幅方向の中央は、二次転写ローラ９Ｂ、バックアップローラ９Ａの軸方向の中央と一致するように搬送される。
【００９９】
図７（ａ）の電流値テーブルにおいて、横軸は上記各ローラの軸方向長さ（ｍｍ）、縦軸は上記各ローラの電気抵抗値（ＭΩ）である。
【０１００】
図４に示す加圧ローラ９Ｃにより、二次転写位置における転写材Ｐが通過する部分の軸方向の電気抵抗値に対して、転写材Ｐが通過しない部分の軸方向の電気抵抗値が高くなる。
【０１０１】
二次転写位置に搬送される転写材Ｐが、Ａ４判サイズで搬送方向に直交する用紙幅方向の長さ２９７ｍｍである大サイズの場合には、二次転写ローラ９Ｂのみの荷重Ｆ１により中間転写体７を加圧する。このとき、加圧ローラ９Ｃは二次転写ローラ９Ｂから離間した位置にある。図７（ａ）の電流値テーブルによって設定された電気抵抗値を通電した場合、転写不良は発生しなかった。
【０１０２】
二次転写位置に搬送される転写材Ｐが、Ａ６判サイズで搬送方向に直交する用紙幅方向の長さ１４８ｍｍである小サイズの場合には、加圧ローラ９Ｃのみの荷重Ｆ２により中間転写体７を加圧する。図７（ａ）の電流値テーブルによって設定された電気抵抗値を通電した場合、非通紙部側への転写電流の流れ込みが無く、転写不良は発生しなかった。
【０１０３】
［実施例２］
二次転写手段９：中間転写体７をバックアップローラ９Ａと二次転写ローラ９Ｂで挟み込み、加圧ローラ９Ｄがバックアップローラ９Ａを押圧する構成（図５）で、バックアップローラ９Ａと二次転写ローラ９Ｂの電気抵抗値はともに１×１０7Ωである。温湿度とカウンターでマトリックスを組んだ電流値テーブルから所定の電流値を選択して印加する。二次転写手段９の各ローラ及び中間転写体７の諸元は、実施例１の諸元と同様である。
【０１０４】
二次転写位置に搬送される転写材Ｐが、Ａ４判サイズで搬送方向に直交する用紙幅方向の長さ２９４ｍｍである大サイズの場合には、二次転写ローラ９Ｂのみの荷重Ｆ１により中間転写体７を加圧する。このとき、図７（ａ）の電流値テーブルによって設定された電気抵抗値を通電した場合、転写不良は発生しなかった。
【０１０５】
二次転写位置に搬送される転写材Ｐが、Ａ６判サイズで搬送方向に直交する用紙幅方向の長さ１４８ｍｍである小サイズの場合には、加圧ローラ９Ｃのみの荷重Ｆ２により中間転写体７を加圧する。図７（ａ）の電流値テーブルによって設定された電気抵抗値を通電した場合、非通紙部側への転写電流の流れ込みが無く、転写不良は発生しなかった。
【０１０６】
［比較例］
二次転写ローラ９Ｂを加圧する加圧ローラ９Ｃ、バックアップローラ９Ａを加圧する加圧ローラ９Ｄを有しない従来の二次転写手段においては、二次転写位置に搬送される転写材Ｐが、Ａ４判サイズで搬送方向に直交する用紙幅方向の長さ２９４ｍｍである大サイズの場合には、図７（ａ）の電流値テーブルによって設定された電気抵抗値を通電した場合、転写不良は発生しなかった。
【０１０７】
二次転写位置に搬送される転写材Ｐが、Ａ６判サイズで搬送方向に直交する用紙幅方向の長さ１４８ｍｍである小サイズの場合には、電流値テーブルによって設定された電気抵抗値を通電した場合、非通紙部側へ転写電流が流れ込み、転写不良が発生した。
【０１０８】
なお、本実施の形態では、中間転写体７として中間転写ベルトを用いた例について説明したが、本発明は、他の形状の中間転写体を用いるものにも適用する事が出来る。また、中間転写体７の電気特性、厚さ、層構成、材料等は、作像条件などにより選択して採用する事が出来る。
【図面の簡単な説明】
【０１０９】
【図１】本発明の一実施の形態に係る画像形成装置を示す断面図。
【図２】本発明の実施の形態に係るカラー画像形成装置の全体構成を示す断面図。
【図３】カラー画像形成装置の要部を示す断面図。
【図４】二次転写手段の第１の実施の形態を示す正面断面図、及び側断面図。
【図５】二次転写手段の第２の実施の形態を示す正面断面図、及び側断面図。
【図６】二次転写手段の第３の実施の形態を示す正面断面図、及び側断面図。
【図７】二次転写ローラ、バックアップローラ、加圧ローラの電気抵抗特性を示す電流値テーブル、及び各ローラの荷重を示す荷重テーブル。
【符号の説明】
【０１１０】
１，１Ｙ，１Ｍ，１Ｃ，１Ｋ  像担持体（感光体）
５Ｙ，５Ｍ，５Ｃ，５Ｋ  一次転写手段
７  中間転写体（トナー像担持体）
８  転写手段
８Ａ  転写ローラ
８Ｂ  加圧ローラ
８Ｅ  直流電源
９  二次転写手段
９Ａ  バックアップローラ
９Ｂ  二次転写ローラ
９Ｃ，９Ｄ  加圧ローラ
９Ｅ  直流電源
１２  操作部
Ａ  カラー画像形成装置
Ｂ  画像読取装置
Ｆ１，Ｆ２  荷重
Ｇ  空隙層
Ｐ  転写材
【図１】
2006317587.tif 000004
【図２】
2006317587.tif 000005
【図３】
2006317587.tif 000006
【図４】
2006317587.tif 000007
【図５】
2006317587.tif 000008
【図６】
2006317587.tif 000009
【図７】
2006317587.tif 000010